(57)【要約】      （修正有）【課題】携帯する意欲を高め、視認性に優れた交通安全用品としても有用な反射式眼鏡拭きパッケージを提供する。【解決手段】拭き取り性能の優れた布地を基材３とし、再帰反射性能の優れた透明なプリズム型反射シート１の内面と該基材３の間に形成されたスペースには厚みのあるスポンジ４を介在させ、該反射シート１が横断面大略蒲鉾状の凸部１２と成るように溶着して、パッケージとして利用される。【選択図】図９
2005258366.tif 000002
【特許請求の範囲】
【請求項１】
０、５デニール以下の超極細繊維で構成され２４００ｃｍ２／ｇ以上の表面積を有する織物、編物又は不織布構造の布地を基材３とし、該基材３の一方の面に反射シート１を横断面大略蒲鉾状である凸部１２を形成するように溶着し、さらに携帯品等に取り付けて持ち運べるようにストラップ状の形態とし、該基材３の布地の面に眼鏡拭きとしての機能を持たせ、該反射シート１の面を交通安全用品としての機能を持たせた眼鏡拭きパッケージ２。
【請求項２】
前記反射シート１は柔軟で曲げ可能な透明なプリズム型反射シートである請求項１記載の眼鏡拭きパッケージ２。
【請求項３】
前記反射シート１の大略蒲鉾状の凸部１２を構成する部分の内面と基材３との間に形成されたスペースに気体が満たされている請求項１および２記載の眼鏡パッケージ２。
【請求項４】
前記反射シート１の大略蒲鉾状の凸部１２を構成する部分の内面と基材３との間に形成されたスペースに厚さ２〜７ｍｍのスポンジ４が収容されている請求項１および２記載の眼鏡パッケージ２。
【請求項５】
前記反射シート１の内面の後方に担持情報６を印刷した白色シート５を設けた請求項１、２、３および４記載の眼鏡パッケージ２。
【発明の詳細な説明】
【技術分野】
【０００１】  本発明は、携帯用の眼鏡拭きに関するものである。
【背景技術】
【０００２】  従来の眼鏡拭きは、拭布の状態で使用され、眼鏡と一緒に眼鏡ケースに納められ提供されている。そして、拭き取り性能を向上させた眼鏡拭きの提案も多くなされている（例えば、特許文献１）。これらの提案は、超極細繊維で構成された布地から成り布表面の面積を拡大して拭き取り性能を向上させた製品や、上記超極細繊維で編立された布を特殊な技術で高収縮させ布表面の編組織の面積をさらに拡大させた製品（非特許文献１を参照）などが含まれている。【０００３】  しかし、常時眼鏡を掛けている人は眼鏡ケースを携帯する習慣がなく眼鏡拭きを常備しておらず、汚れた眼鏡を清掃するのに不便を感じている。そのため、携帯を便利にする目的で考案された別の商品と併用させて携帯し易くして、眼鏡拭きとしてどこでも使えるようにした提案がなされている（例えば、特許文献２参照）。
【特許文献１】実用新案登録第３０３６０２９号  公報
【非特許文献１】カタログ  ザヴィーナ  ミニマックス  カネボウ合繊（株）
【特許文献２】実用新案登録第３０７３７０７号  公報
【発明の開示】
【発明が解決しようとする課題】
【０００４】  従来の眼鏡拭きは、眼鏡ケースに入れる拭布の状態で提供されるため、眼鏡ケースが嵩ばるなどの理由で、なかなか常時携帯するという習慣が生まれなかった。そのため、前述のように汚れなどの拭き取り性能を向上させたものが提供されていても携帯してないので、眼鏡が汚れたりして必要不可欠なときにも手元になく、優れた性能の眼鏡拭きでも利用されていないという課題があった。【０００５】  そのため、前述のように他の用途の製品と併用させ多目的の用途に使用できる製品として携帯する利用価値を高めて、必要不可欠のときに常時手元にあるようにする等の工夫がなされてきたが、併用させる製品の性能が実用的に利用価値が低いため、携帯する意欲を高めて携帯させるという作用効果を発揮できないという課題があった。【０００６】  そして、ハンドバック、学生鞄、旅行鞄、杖などいろいろな携帯品に付けるストラップがあり、片面に反射シートを貼り合わせて夜間の交通安全に寄与するタイプがあったが、眼鏡拭きと組み合わせて併用させる提案はなかった。【０００７】  さらに、これらストラップに使用される反射シート１において、十分な反射光量が得られるのは、該反射シート１の方線に対する入射角がおおよそ３０度位の範囲内のみであり、それより大きな入射角で斜め方向から光が入射する場合は、反射光量は大幅に低下してしまう。したがって、図１のように平面状に装着された反射シート１に対し、夜間、該反射シート１と平行に近い大きな入射角で自動車のヘッドライト等の光Ｌが入射した場合には、光源側に反射される光はほとんどなく、光源側に自動車のドライバー等にとっては、反射シート１は全く光って見えないという問題があった。【０００８】  また、例えば仮に図２に示されるように、反射シート１が上下方向に立てられた円筒状の物体２にまかれているとすると、光源側から見て円筒状をなす反射シート１の両側部分には、大きな入射角が光Ｌで入射することになるので、夜間、光源側から見ると、光って見えるのは中央の部分（図２の斜線を施した部分）だけで、両外側は暗く、全く見えないなどの問題もあった。【０００９】  本発明は、このような従来の事情に鑑みてなされたもので、携帯する意欲を高める製品と併用して、常時携帯できるようにした眼鏡拭きを提供するものである。【００１０】  本発明の他の目的は、携帯に便利な併用製品として交通安全に役立つストラップを選び、携帯する意欲を高めた反射式眼鏡拭きパッケージを提供するものである。【００１１】  本発明の他の目的は、イベントなどで提供品として配布するとき、企業名などの情報を担持させ宣伝媒体として役立つように工夫された眼鏡拭きを提供するものである。【００１２】  本発明のさらなる他の目的は、以下の説明から明らかになろう。
【課題を解決するための手段】
【００１３】  本発明による眼鏡拭きパッケージは、拭き取り性能の優れた超極細繊維で編立した表面積の広い布地を基材とし、その片面に反射シート１が全面に設けられている。反射シート１の内面と基材の間に形成されたスペースには厚みのある発泡材料を介在させ、反射シート１全体が横断面大略蒲鉾状の凸部となるように基材に溶着されている。このとき、発砲材料は反射シート１が大略蒲鉾状の凸部を保持する役目をする。さらに、反射シート１の内面の後方には、企業名などの情報を担持した不透明な白色シートが配置されている。そして、鞄などに取り付ける紐を装着し、ストラップとして提供するものである。【００１４】  ストラップの一部を構成する反射シート１が横断面大略蒲鉾状の凸部として盛り上がっているので、図３のように、歩行者の鞄のサイドに取り付けられたとき、図４に示されるように、ストラップにある反射シート１に入射する光Ｌの入射角を小さくでき、後方のヘッドライトの光Ｌは光源方向に十分戻ることができ、運転者は歩行者の存在を確認でき交通安全の向上に役立つものである。【００１５】  また、携帯用小物に取り付け携帯されるストラップは常に手元にあるので、ストラップの一面を構成する眼鏡拭きとしての拭布によって必要なときに汚れた眼鏡を拭くことが出来て極めて有用である。さらに、眼鏡拭きとして構成されている拭布は、極細繊維で編立した布で構成されているので表面積を非常に広くでき、小さくても拭き取り性能の優れた眼鏡拭きとして提供される。【００１６】  さらに、不透明な白色シートに企業名などの情報を担持させれば、透明な反射シート１を介して判読でき、有効な宣伝媒体としても有用である。【００１７】  本発明の眼鏡拭きパッケージは、携帯電話用のストラップとしても有用であり、携帯電話の画面の汚れを清掃するのにも有用である。
【発明の効果】
【００１８】  本発明の眼鏡拭きパッケージは、ストラップとして携帯しやすいように小さい拭布で構成されているにもかかわらず、超極細繊維で編立した布地を使用しているので表面積を広くでき、眼鏡の汚れ取りに優れた性能を発揮する。【００１９】  また、常時携帯する携帯品に取り付けられるストラップとして構成されており、さらに、片面には反射シート１が張り合わされていて夜間の視認性に優れているので、夜間の交通安全に有用で、眼鏡拭きとしての効用とともに、交通安全用品としても優れた効果が得られるものである。【００２０】  さらに、本発明の眼鏡拭きパッケージは、企業名などの情報を担持した白色シートを採用すれば、宣伝媒体としても有用な効果が得られるものである。
【発明を実施するための最良の形態】
【００２１】  以下、本発明を図面に示す実施例に基づいて説明する。
【実施例１】
【００２２】  図３〜１０は、本発明の眼鏡拭きパッケージ２の一実施例を示している。【００２３】  本発明の眼鏡拭きパッケージ２は、携帯し易いようにストラップとしてあり、眼鏡を清掃するのに適した布地を基材３とし、その片面に反射シート１が横断面大略蒲鉾状の凸部１２として全面に設けられている。反射シート１から成る凸部１２を構成する部分の内面と基材３との間に形成されるスペースには、発泡材料である厚み３ｍｍのスポンジ４を介在させ、反射シート１全体が横断面大略蒲鉾状の凸部１２に保持されている。また、反射シート１の内面とスポンジ４の間には、塩化ビニル樹脂からなる不透明な白色シート５が配置されており、図４に示されるように、白色シート５に会社名などの情報を担持させれば、本発明の眼鏡拭きパッケージ２は広告媒体としても有用である。【００２４】  眼鏡を清掃するのに効果的な布地の基材３は、０、３デニール以下の超極細繊維で構成された織物である。これらの原糸は長繊維で強く、表面積が広く、自己発塵性がないなどの特徴を備え、更に楔状の表面で被拭浄物の微細な凹凸にフイットし、ホコリや脂分などの汚れを確実に捕らえる。【００２５】  反射シート１は、柔軟で曲げ可能なプリズム型反射シートが適しており、塩化ビニール樹脂を素材として数十ミクロン単位のプリズムが反射器として内面に設けれている。反射シート１自体は透明であり、反射シート１を通して後方にある白色シート５の表面を透視出来る。したがって、反射シート１の後方にある白色シート５が、図５に示されるような企業名などの情報を担持してると、広告媒体としても有効に作用する。白色シート５は、この実施例では塩化ビニル樹脂から成るシートを使用しているが、柔軟で曲げ可能な素材で高周波加工や超音波加工のようなウエルダー加工できるプラスチックシートであれば使用可能であり、塩化ビニル樹脂に限定されることない事は自明の理である。【００２６】  本発明の眼鏡拭きパッケージ２は、図６に示されるように、台座８の上に基材３、発泡材料であるスポンジ４、白色シート５、反射シート１の順序で積み重ね、図７の示されるような金型７も持ったウエルダーによって溶着され、図８に示されるような形状のものに仕上げられる。さらに、打ち抜き機によって所定の形状に打ち抜かれて止め紐１０が付けられ、図９に示されるような眼鏡拭きパッケージ２に仕上げられる。図１０は、本発明の眼鏡拭きパッケージ２の断面図であるが、反射シート１、基材３、スポンジ４、白色シート５が溶着部９で一体的に溶着されているので耐久性があり、また、スポンジ４は、反射シート１を横断面大略蒲鉾状の凸部１２として保持するので、本発明の眼鏡拭きパッケージ２は、夜間時に高入射角の光に対しても効率良く再帰反射するので視認性が向上し、交通保安用品としても高い訴求性能を発揮できるものである。【００２７】  本発明の眼鏡拭きパッケージ２は、ハンドバック、通勤鞄、学生鞄、旅行鞄、杖等常時携帯され、眼鏡が汚れたときには眼鏡拭きとして作用するとともに、夜間の通勤や通学時等には視認性に優れた交通安全用品としても有用である。
【産業上の利用可能性】
【００２８】  以上のように本発明による眼鏡拭きパッケージ２は、眼鏡拭きおよび視認性に優れた交通安全用品として有用であり、その製造方法も簡便で安価なので利用上有利である。
【図面の簡単な説明】
【００２９】
【図１】平面状とされた反射シートに高入射角で光が入射する状態を示す平面図である。
【図２】円筒状の物体に巻かれた反射シートに光が入射する状態を示す平面図である。
【図３】本発明の眼鏡拭きパッケージが鞄に装着されて使用されている状態を示す斜視図である。
【図４】図３のカッコ内に於ける本発明眼鏡拭きパッケージの拡大図である。
【図５】白色シートに印刷された担持情報の一例を示す平面図である。
【図６】本発明の眼鏡拭きパッケージの製造で溶着工程を説明する断面図である。
【図７】溶着工程のウエルダーに使用される金型の斜視図である。
【図８】溶着され打ち抜き加工される前の本発明の眼鏡拭きパッケージの平面図である。
【図９】本発明のストラップ状である眼鏡拭きパッケージの平面図である。
【図１０】図９のＸ−Ｘ線に於ける断面を示すストラップ状である眼鏡拭きパッケージの断面図である。
【符号の説明】
【００３０】  １    反射シート
２    本発明の眼鏡拭きパッケージ
３    基材
４    スポンジ
５    白色シート
６    担持情報
１２    凸部
【図１】
2005258366.tif 000003
【図２】
2005258366.tif 000004
【図３】
2005258366.tif 000005
【図４】
2005258366.tif 000006
【図５】
2005258366.tif 000007
【図６】
2005258366.tif 000008
【図７】
2005258366.tif 000009
【図８】
2005258366.tif 000010
【図９】
2005258366.tif 000011
【図１０】
2005258366.tif 000012